【事件の表示】
　特許第３２２５３５６号「スチルビデオカメラ」の請求項１に係る特許に対する特許異議の申立てについて、次のとおり決定する。
【結　論】
　訂正を認める。
　特許第３２２５３５６号の請求項１に係る特許を取り消す。
【理　由】
第１　手続きの経緯
　特許第３２２５３５６号の請求項１に係る発明（以下「本件発明」という。）についての出願は、平成元年１１月２９日に特許出願され、平成１３年８月３１日に設定登録された。
　その後、その特許について異議申立人、島田洋より特許異議の申立てがなされ、取消理由通知がなされ、その指定期間内である平成１４年９月２０日に訂正請求がなされ（以下、「１回目訂正」という。）、再度取消理由通知がなされ、その指定期間内である平成１４年１２月４日に、１回目訂正が取り下げられるとともに、再度訂正請求がなされた（以下、「２回目訂正」という。）ものである。
　
第２　訂正の適否についての判断
１．訂正の内容
（１）訂正事項ａ
特許請求の範囲の請求項１（公報明細書特許請求の範囲第１３行〜１５行）
「画像情報の記録を行い、且つ、当該記録した画像情報に基づく映像を外部モニタに映し出す」を、特許請求の範囲の減縮を目的として、「画像情報の記録を行い、 該記録終了に続き再生モードに自動的に切り換わり、当該記録した画像情報に基づく映像を外部モニタに映し出す」と訂正する。
　これに伴い、特許請求の範囲と発明の詳細な説明の記載との整合を図るため、不明瞭な記載の釈明を目的として、特許明細書段落番号【０００６】（公報明細書第２ページ左欄第３４行〜３６行）、特許明細書段落番号【００８８】（公報明細書第８ページ左欄第１４行〜１５行）「画像情報の記録を行い、且つ、当該記録した画像情報に基づく映像を外部モニタに映し出す」を「画像情報の記録を行い、該記録終了に続き再生モードに自動的に切り換わり、当該記録した画像情報に基づく映像を外部モニタに映し出す」と訂正する。
　
（２）訂正事項ｂ
特許明細書段落番号【０００８】（公報明細書第２ページ左欄第４４行）「且つ」を「撮影記録の終了に続き自動的に」と訂正する。
　
２．訂正の目的、新規事項の有無、特許請求の範囲の実質上拡張・変更の有無の判断
　上記訂正事項ａは、特許請求の範囲の請求項１に記載された「画像情報の記録を行い、且つ、当該記録した画像情報に基づく映像を外部モニタに映し出す」を、「画像情報の記録を行い、 該記録終了に続き再生モードに自動的に切り換わり、当該記録した画像情報に基づく映像を外部モニタに映し出す」と訂正するものであり、記録の後、外部モニタに映像を映し出す、その間の動作を限定したものであり、特許請求の範囲の減縮を目的とするものである。
そして、この訂正は、願書に添付した明細書に記載した事項の範囲内においてする訂正である。
　また、上記訂正は特許請求の範囲を実質的に拡張及び変更するものではない。
　上記訂正事項ｂは、画像情報の記録とその記録された画像情報に基づく映像の映し出しの動作シーケンスを明確化したものであり、明瞭でない記載の釈明を目的とするものであり、この訂正は、特許請求の範囲を実質的に拡張及び変更するものではない。
　
３　むすび　
　したがって、上記訂正は、特許法第１２０条の４第３項で準用する第１２６条２項及び３項の規定に適合するから、当該訂正を認める。
　
第３　取消し理由通知の概要
　１回目訂正は取り下げられ、改めて２回目訂正がなされたが、その相違は、１回目訂正で請求項１に係る発明の記載中「映し出し得る」と訂正したものを、２回目で元の状態である「映し出す」に戻したものであり、取消し理由の内容に実質的な影響を与えないものである。
　そして、前記のとおり２回目訂正は認められることとなったことから、本件特許に係る発明は次のとおりのものである。
　「【請求項１】　記録・再生機能を有したスチルビデオカメラにおいて、
　被写体画像の撮影を行い電気画像信号を得る撮像手段と、
　前記電気画像信号に基づく画像情報を記録する記録手段と、
　前記記録手段に記録した画像情報に基づく映像を外部モニタに映し出す画像出力手段とを有し、
　音声レベルが設定レベルを越えた時、及び／又は、リモコンスイッチで遠隔操作された時に出力されるトリガ信号に基づいて、前記撮像手段で電気画像信号を出力し、当該電気画像信号に基づいて画像情報の記録を行い、該記録終了に続き再生モードに自動的に切り変わり、当該記録した画像情報に基づく映像を外部モニタに映し出すことを特徴とするスチルビデオカメラ。」
　
　平成１４年９月３０日付け当審の取消し理由の内容は次のとおりである。
（１）本件発明
特許第３２２５３５６号の請求項１に係る発明（以下「本件発明」という。）は、平成１４年９月２０日付けの訂正明細書の特許請求の範囲の請求項１に記載された事項により特定されるとおりのものである。
（２）刊行物
　刊行物１：特開昭６３―１５３９６７号公報（異議申立人の提示した甲第１号証）
　刊行物１には、撮像手段と、画像情報を記録する記録手段と、この記録手段に記録した映像を外部に出す画像出力手段とを有し、前記撮像手段で電気画像信号を出力し、当該電気画像信号に基づいて画像情報の記録を行い、当該記録した画像情報に基づく映像を外部機器に映し出し得る記録・再生機能を有したスチルビデオカメラにかかる発明（以下「刊行物１発明」という。）について記載されている。
　刊行物２：特開昭６４―２６８２８号公報（同甲第２号証）
刊行物２には、電子カメラにおいて、撮影操作を遠隔操作によって行う技術について記載されている。
　刊行物３：特開昭５９―１８３５７９号公報（同甲第４号証）
刊行物３には、図面とともに以下の事項が記載されている。
「本発明は撮影した画像の再生が即時にできる電子スチルカメラに関する。」（公報１頁右下欄１８行ないし１９行）
「切換スイッチ６の動作は撮影操作に関連して行うようにしてもよい。すなわち、通常の撮影モードにおいては、撮像素子２から出力する画像信号をそのまま電子ビューファインダ７に入れて画像表示しており、撮影操作をした結果画像記録指令信号が入力すると１フィールドまたは１フレームのみ記録素子４に記録した後直ちに再生モードに切換わり、電子ビューファインダ７に再生画像を表示し続ける。」（２頁右下欄１１行ないし１９行）
　したがって、刊行物３には、画像の記録動作に続いて再生モードに自動的に切り換わり、記録した画像情報を表示する技術について記載されている。
（３）対比・判断
　本件発明は、請求項１の「音声レベルが設定レベルを越えた時、及び／又は、リモコンスイッチで遠隔操作された時に出力されるトリガ信号に基づいて」なる記載から、音声レベルによらず、単にリモコンスイッチで遠隔操作された時に出力されるトリガ信号に基づいて撮影される構成を含むものである。
　したがって、本件発明と刊行物１発明とを対比すると、以下の点で両者は相違している。
　
（相違点１）本件発明は、「リモコンスイッチで遠隔操作された時に出力されるトリガ信号に基づいて」撮影動作を行うのに対し、刊行物１発明はそのような構成を有していない点
（相違点２）本件発明は、「画像情報の記録終了に続き再生モードに自動的に切り換わり、記録した画像情報に基づく映像を映し出す」のに対し、刊行物１発明はそのような構成を有していない点
　
　そこで、上記相違点について検討する。
　上記（相違点１）は、刊行物２に記載された遠隔操作によって撮影を行う技術を参照すれば、当業者が格別の創意工夫を必要とせず、適宜なしえた事項にすぎない。
　上記（相違点２）は、刊行物３に記載された画像の記録動作に続いて再生モードに自動的に切り換わり、記録した画像情報を表示する技術を単に適用することにより、当業者が容易に構成できた技術事項にすぎない。
　そして、上記刊行物２及び３に記載された技術の、刊行物１発明への適用を阻害する要因もなく、また、上記相違点１及び相違点２を総合的に勘案してみても、その効果は格別なものということはできない。
　よって、本件請求項１に係る発明の特許は、特許法第２９条第２項の規定に違反してされたものである。
　
第４　特許権者の特許異議意見書における主張
　意見書の主張の概要は、次のＡ，Ｂの作用効果が得られるよう創意工夫を行った結果、なされた発明である。として、
　「Ａ．マイクロホン46の入力レベルが設定レベルを越える毎に映像と音声とが記録され再生されるようにすれば、例えばパーティ会場で歓声が上がる毎に会場内の映像と音声とを記録し、直ちに再生して見せたり聞かせたりすることができるから、誰もカメラを操作する必要がなく出席者全員がパーティーに参加しつつ、会場風景の記録・再生を行わせることができる。
　Ｂ．リモコンにより記録及びこの記録に続く自動的な再生が行えれば、例えばパーティー会場などで盛り上がったときに主催者がリモコンを操作して、カメラによる撮影を行わせると共に、撮影記録した内容を直ちにテレビで見たり聞いたりすることができる。」
と、主張している。
　また、刊行物１ないし３には本件発明が想定している使用状況も課題も開示されていない旨主張している。
　
第５　当審の判断　
　そこで上記主張について検討する。
Ａの主張は、取消し理由通知「対比・判断」の中で「本件発明は、請求項１の「音声レベルが設定レベルを越えた時、及び／又は、リモコンスイッチで遠隔操作された時に出力されるトリガ信号に基づいて」なる記載から、音声レベルによらず、単にリモコンスイッチで遠隔操作された時に出力されるトリガ信号に基づいて撮影される構成を含むものである。」と説示したように、「音声レベルが設定レベルを越えた時」と「リモコンスイッチで遠隔操作された時」とは、接続詞「又は」で結ばれていることから、択一的な表現である。
　択一的な表現の場合、その一方のみで特許請求の範囲の解釈を行うことは、通常許容されている事項である。
　すなわち、本件の場合、「及び／又は」の接続詞は、(1)「音声レベルが設定レベルを越えた時に出力されるトリガ信号」の場合、(2)「リモコンスイッチで遠隔操作された時に出力されるトリガ信号」の場合、及び(3)「音声レベルが設定レベルを越えた時、でかつ、リモコンスイッチで遠隔操作された時に出力されるトリガ信号」の場合の、３態様で解釈されることになる。
　そして、その中の(2)の解釈をした場合、特許権者の主張である前記Ａの点は、上記(1)の解釈に限定した、(2)の解釈を意識的に排除した独自の解釈に基づく主張であり、根拠のないものと言わざるを得ない。
Ｂの主張は、取消し理由通知で相違点１、２として挙げ、判断を示したとおりである。
　ただし、刊行物１ないし３には本件発明が想定している使用状況も課題も開示されていないことは、特許権者主張のとおりである。
　しかし、訂正された特許請求の範囲の記載を見る限り、本件発明が想定している使用状況に関連する記載はなく、パーティー会場での使用に独特な構成や手段等もなく、一般的なスチルカメラの使用にすぎない。
　
第６　むすび
　以上のとおりであるから、本件発明は、その出願日前に頒布された刊行物に記載された発明に基づいて当業者が容易に発明をすることができたものであるから、本件発明の特許は、特許法第２９条第２項の規定に違反してされたものである。
　したがって、訂正明細書の請求項１に係る発明の特許は、特許法第１１３条第２号に該当し、取り消されるべきものである。
　
　よって、結論のとおり決定する。　
【異議決定日】
平成１４年１２月２５日（２００２．１２．２５）
【訂正の要旨】
▲１▼訂正事項ａ
　特許請求の範囲の請求項１（公報明細書特許請求の範囲第１３行〜１５行）「画像情報の記録を行い、且つ、当該記録した画像情報に基づく映像を外部モニタに映し出す」を、特許請求の範囲の減縮を目的として、「画像情報の記録を行い、該記録終了に続き再生モードに自動的に切り換わり、当該記録した画像情報に基づく映像を外部モニタに映し出す」と訂正する。
　これに伴い、特許請求の範囲と発明の詳細な説明の記載との整合を図るため、不明瞭な記載の釈明を目的として、特許明細書段落番号【０００６】（公報明細書第２ページ左欄第３４行〜３６行）、特許明細書段落番号【００８８】（公報明細書第８ページ左欄第１４行〜１５行）「画像情報の記録を行い、且つ、当該記録した画像情報に基づく映像を外部モニタに映し出す」を「画像情報の記録を行い、該記録終了に続き再生モードに自動的に切り換わり、当該記録した画像情報に基づく映像を外部モニタに映し出す」と訂正する。
▲２▼訂正事項ｂ
　特許明細書段落番号【０００８】（公報明細書第２ページ左欄第４４行）「且つ」を「撮影記録の終了に続き自動的に」と訂正する。
（５４）【発明の名称】
スチルビデオカメラ
（５７）【特許請求の範囲】
　【請求項１】　記録・再生機能を有したスチルビデオカメラにおいて、
被写体画像の撮影を行い電気画像信号を得る撮像手段と、
前記電気画像信号に基づく画像情報を記録する記録手段と、
前記記録手段に記録した画像情報に基づく映像を外部モニタに映し出す画像出力手段とを有し、
音声レベルが設定レベルを越えた時、及び／又は、リモコンスイッチで遠隔操作された時に出力されるトリガ信号に基づいて、前記撮像手段で電気画像信号を出力し、当該電気画像信号に基づいて画像情報の記録を行い、
該記録終了に続き再生モードに自動的に切り換わり
【発明の詳細な説明】
　【０００１】
　【産業上の利用分野】
　本発明はスチルビデオカメラに関し、詳しくは、記録・再生機能を有したスチルビデオカメラにおける記録・再生動作の改善に関する。
　【０００２】
　【従来の技術】
　近年、従来のフィルム式カメラに代わって、被写体からの光画像信号を撮像素子により電気画像信号に変換し、該電気画像信号を従来のフィルムに相当する磁気ディスク等の記録媒体に記録する構成のスチルビデオカメラが実用化されており、記録媒体に記録した電気画像信号をモニタで再生して見たり、プリンタでハードコピーしたりするようになっている（特開昭５９−１８３５８２号公開等参照）。
　【０００３】
　また、画像だけでなく、音声も画像に対応して記憶させることができるスチルビデオカメラも開発されており、記録画像に対応する音声を例えばシャッターボタンを押したときから所定時間自動的に録音されるよう構成したものがある。更に、再生機能を備え、モニタを接続するだけで再生画面を見ることができるようなスチルビデオカメラも開発されている。
　【０００４】
　【発明が解決しようとする課題】
　ところで、上記のように再生機能を備えたスチルビデオカメラであっても、従来では、使用者がスイッチ操作を行って初めて再生が行われる構成であり、記録した画像を直ちに再生して確認したい場合などは煩わしさがあった。
　【０００５】
　本発明は上記問題点に鑑みなされたものであり、記録・再生機能を備えたスチルビデオカメラにおいて、撮影に連続して画像の再生が自動的に行われるようにするとともに、この画像の再生を撮影に連続して行うか、否かを選択できることで、使用者の操作負担を軽減し、かつ、使い勝手の向上を図ることを目的とする。
　【０００６】
　【課題を解決するための手段】
　そのため本発明では、記録・再生機能を有したスチルビデオカメラにおいて、被写体画像の撮影を行い電気画像信号を得る撮像手段と、前記電気画像信号に基づく画像情報を記録する記録手段と、前記記録手段に記録した画像情報に基づく映像を外部モニタに映し出す画像出力手段とを有し、音声レベルが設定レベルを越えた時、及び／又は、リモコンスイッチで遠隔操作された時に出力されるトリガ信号に基づいて、前記撮像手段で電気画像信号を出力し、当該電気画像信号に基づいて画像情報の記録を行い、
該記録終了に続き再生モードに自動的に切り換わり
　【０００７】
　【０００８】
　【作用】
　かかる構成によると、記録・再生機能を有したスチルビデオカメラにおいて、音声レベルが設定レベルを越えた時、及び／又は、リモコンスイッチで遠隔操作された時にトリガ信号が出力され、このトリガ信号に基づいて撮影記録が行われ、
撮影記録の終了に続き自動的に
　【０００９】
　それ故、本発明によれば、例えばパーティー会場などで盛り上がったときに、音声信号により、及び／又は、リモコンスイッチの操作により本発明のスチルビデオカメラによる撮影が行われ、その後、主催者等の使用者がいちいち再生操作を行うことなく、自動的に撮影映像をモニタで映し出して見ることができる。
　【００１０】
　【実施の形態】
　以下に本発明を実施の形態例で説明する。
　【００１１】
　まず、第１図及び第２図に本発明にかかるスチルビデオカメラの外観例を示す。
　【００１２】
　第１図及び第２図において、スチルビデオカメラ１は、撮影レンズ２によって得られる被写体の光画像信号を、内蔵されたＣＣＤ等の撮像素子によって電気画像信号に変換して記録媒体としての着脱自在なフロッピーディスク３にアナログ記録するものであり、かかる画像記録と共に、カメラ本体の撮影レンズ２側に設けられたマイクロホン４を介して入力される音声信号を、やはり前記フロッピーディスク３にアナログ記録できるようになっている。また、前記フロッピーディスク３に記録された画像と音声とをそれぞれに再生する機能も備えており、映像及び音声の記録再生機能を備えたものである。尚、前記音声信号の記録は、例えば画像記録の開始から所定時間自動的に記録するものとし、また、ここでは音声信号は人の声に限らない音響に相当するものとして用いるものとする。
　【００１３】
　また、スチルビデオカメラ１には、撮影者の押圧操作によって画像及び音声の記録を開始するレリーズボタン５が本体上面に設けられており、かかるレリーズボタン５の近傍位置には、表示用液晶部６及び操作部７が設けられており、各種の撮影情報の表示及び撮影条件の設定が行われる。
　【００１４】
　更に、前記撮影レンズ２及びマイクロホン４が設けられるカメラ本体前面には、前記撮影レンズ２の他、図示しない後面に設けられるファインダー（光学ファインダー）用のレンズ８、測光用レンズ９，リモコン受光レンズ１０，セルフタイマーによる撮影状態を表示するためのＬＥＤ１１，ストロボ調光用レンズ１２，ストロボ１３が設けられている。
　【００１５】
　また、カメラ本体の被写体に向けて左側面に設けた凹陥部には、無線によりリモコン信号を送信するカメラ本体と別体のリモコンスイッチボックス１４が、着脱自在に装着できるようになっており、第１図がかかるリモコンスイッチボックス１４の装着状態を示し、第２図がリモコンスイッチボックス１４を取り外した状態を示す。
　【００１６】
　遠隔操作手段としてのリモコンスイッチボックス１４は、第２図に示すように、リモコン送信スイッチ１５と、変調された光信号を送信する赤外発光ＬＥＤ１６とを備えており、リモコン送信スイッチ１５を押すと赤外光であるリモコン信号を発信し、このリモコン信号がスチルビデオカメラ１のリモコン受光レンズ１０に受光されることでリモコンが可能となる。
　【００１７】
　次に前記表示用液晶部６及び操作部７の詳細を第３図に従って説明する。
　【００１８】
　選択手段としてのスライドスイッチ２１は、撮影モード（ＲＥＣ），再生モード（ＰＬＡＹ），消去モード（ＥＲＡＳＥ），自動撮影／再生モード（ＡＵＴＯ　ＲＥＣ＆ＰＬＡＹ）の切り換えを行うものであり、かかるスライドスイッチ２１がＯＦＦ位置にあるときには、カメラに電源が供給されず、表示用液晶部６には何の表示も行わず、また、全てのスイッチ操作を受け付けない。尚、上記自動撮影／再生モード（ＲＥＣ＆ＰＬＡＹ）が、本実施例における記録再生手段に相当するモードである。
　【００１９】
　次に、スライドスイッチ２１をＲＥＣの位置にして通常のレリーズボタン５操作による撮影モードが選択されている場合における各スイッチの機能を説明する。
　【００２０】
　撮影モードの状態で、モードスイッチ２２を１回押す毎に表示窓６ａの図で左側にある三角マークが、ＳＩＮＧＬＥ→ＣＯＮＴ．Ｌ−ＣＯＮＴ．Ｈ→ＳＥＬＦと移動し、単写，低速連写，高速連写及びセルフタイマーの各モードを切り換えることができる。ＳＥＬＦの位置から更にモードスイッチ２２を押すと、三角マークは再びＳＩＮＧＬＥ位置に戻ってくる。
　【００２１】
　ストロボスイッチ２３は露出モードの変更を行うスイッチで、ストロボ自動発光モード，ストロボ強制発光モード，ストロボＯＦＦモード，ＡＥロックモード，ブラケット撮影モードの切り換えを行うものであり、ストロボスイッチ２３を１回押す毎に、表示窓６ａの右側にある三角マークが、ＡＵＴＯ→ＯＮ→ＯＦＦ→ＡＥ　ＬＯＣＫ→ＢＲＡＣＫＥＴと移動し、どの露出モードが選択されているかを表示する。
　【００２２】
　ＭＡＣＲＯスイッチ２４は、撮影レンズ２の近傍撮影位置と標準撮影位置とを切り換えるスイッチであり、不用意に触られたときに切り換えが行われないように、０．５秒以上継続して押されたときにのみ機能するようにしてある。ＭＡＣＲＯスイッチ２４によってマクロ撮影モードが選択されると、撮影レンズ２が近接撮影位置に移動し、表示窓６ａの左上の花マークが点灯する。
　【００２３】
　ＩＮＴＥＲＶＡＬスイッチ２５は、インターバル撮影モードへの切り換えと条件設定とを行うスイッチであり、ＩＮＴＥＲＶＡＬスイッチ２５を押す毎にインターバル撮影間隔の時・分・秒の設定及び撮影枚数の設定を行うことができるようになっている。尚、それぞれの条件設定値の設定において、モードスイッチ２２及びストロボスイッチ２３を押すことで数字がアップダウンされ、これにより数値の変更が行えるようになっている。ＩＮＴＥＲＶＡＬスイッチ２５も、前記ＭＡＣＲＯスイッチ２４と同様に、０．５秒以上継続して押されたときにのみインターバル撮影モードに切り換わり、表示窓６ａの前記花マークの右側のＩＮＴマークが点灯するようになっている。
　【００２４】
　ＤＡＴＥスイッチ２６は、日付の表示モードを切り換えるスイッチで、１回押す毎に表示窓６ａの下側の表示が、月・日・年→日・月・年→年・月・日・→日・時・分→無表示の順に変化する。
　【００２５】
　ＡＤＪＵＳＴスイッチ２７は、日付又は時刻の変更を行うときに、変更モードへの切り換えと変更する項目を選択するスイッチであり、ＡＤＪＵＳＴスイッチ２７によって選択された年や月や日又は時や分の情報は、モードスイッチ（ダウンスイッチ）２２及びストロボスイッチ２３（アップスイッチ）によってアップダウンさせて変更する。
　【００２６】
　尚、前記表示窓６ａには、上記の各表示の他、電池の消耗度合いを示す電池マークや、撮影枚数を示す２桁のカウンタ表示などが設けられている。
　【００２７】
　第４図は上記スチルビデオカメラ１のシステム概略構成を示すブロック図である。
　【００２８】
　ここで、被写体からの光画像信号は、レンズ，絞りなどの光学系Ａを介して、ＣＣＤ等の固体撮像素子Ｂ上に結像される。
　【００２９】
　撮像素子駆動回路Ｃによって撮像素子Ｂから読み出された電気映像信号は、信号処理回路Ｄにおいて例えば輝度信号と色差信号とに分離するというような信号処理をされ、記録信号処理回路Ｅではこの信号を磁気記録する場合にはＦ／Ｍ変調したり、デジタル記録する場合にはＡ／Ｄ変換したりして、記録・再生回路Ｆを介してフロッピーディスクや半導体メモリ等の記録媒体Ｇに記録される。
　【００３０】
　一方、マイクロホンＨにより入力される音声信号は、信号処理回路Ｉにおいて増幅や時間軸圧縮などの信号処理を行ってから、映像信号と同様にして、記録信号処理回路Ｅ及び記録・再生回路Ｆを介して記録媒体Ｇに記録される。
　【００３１】
　また、再生時には、記録・再生回路Ｆにより記録媒体Ｇから信号を読み出し、再生信号処理回路Ｊで記録時と逆のプロセスを通って、映像信号と音声信号とに変換して出力する。
　【００３２】
　以上の動作は、操作・表示部Ｋを介して制御ユニットＬにより管理されるようになっており、制御ユニットＬは、測光・測距・調光回路Ｍから信号を入力しつつ、該測光。測距・調光回路Ｍの動作も管理する。
　【００３３】
　第５図は、前記第４図における記録媒体Ｇとして例えば２インチフロッピーディスク（磁気ディスク）用いた場合のより詳細なシステム図であり、この第５図に従って記録・再生システム構成を、より詳細に説明する。
　【００３４】
　まず、操作部３１からの入力、又は、リモコン受信回路３２よりの信号が制御回路３３に入ると、シーケンスが起動し、制御回路３３は、測距・測色・調光回路３４などの出力に基づき、ＣＣＤ３５の出力が適正となるように絞り３６やＣＣＤ駆動回路３７を制御し、被写体の光画像信号は、レンズ３８，絞り３６，光学フィルター３９を介してＣＣＤ３５上に結像する。
　【００３５】
　ＣＣＤ駆動回路３７によって読み出される電気画像信号は、リセット雑音を低減させるためのＣＤＳ回路（相関二重サンプリング回路）４０を通り、信号処理回路４１で輝度信号と色差信号とに変換される。この輝度信号と色差信号とは、それぞれＦＭ変調回路４２でエンファシス，ＦＭ変調の処理をされて合成され、セレクタ４３を介して記録アンプ４４に入力される。そして、記録アンプ４４を介してフロッピーディスク４５にアナログ磁気記録される。
　【００３６】
　一方、マイクロホン４６から入力される音声信号は、アンプ４７で増幅され、更に信号処理回路４８でノイズリダクションなどの信号処理をされてから、Ａ／Ｄ変換器４９でＡ／Ｄ変換され、デジタル信号の形で一時メモリ５０に蓄えられる。メモリ５０に蓄えられたデジタル信号は、メモリ５０に書き込んだときよりも速いスピードで読み出され、この読み出した信号をＤ／Ａ変換器５１でＤ／Ａ変換することで、時間圧縮したアナログ信号に変換される。
　【００３７】
　時間軸圧縮された音声信号のアナログ信号は、映像信号と同じく、ＦＭ変調回路５２でエンファシス，ＦＭ変調の処理をされ、セレクタ４３及び記録アンプ４４を介してフロッピーディスク４５に記録される。前記セレクタ４３は、記録映像信号と記録音声信号との切り換え選択を行うものである。
　【００３８】
　再生動作も、リモコン受信回路３２からの出力や操作部３１からの入力を受けてシーケンスがスタートする。まず、音声信号がフロッピーディスク４５から再生アンプ５３を介して読み出され、セレクタ５４によってＦＭ復調回路５５に入力される。ＦＭ復調回路５５では、フロッピーディスク４５から読み出された音声信号がＦＭ復調，ディエンファシスの処理をされ、次のＡ／Ｄ変換器５６でＡ／Ｄ変換されてデジタル信号の形で一時メモリ５７に蓄えられる。
　【００３９】
　次に、前記フロッピーディスク４５から読み出した音声信号に対応する映像信号を、フロッピーディスク４５から再生アンプ５３を介して読み出し、セレクタ５４によってＦＭ復調回路５８に入力する。ＦＭ復調回路５８で、ＦＭ復調，ディエンファシス処理を施された映像信号は、信号処理回路５９でビデオ信号に変換され、出力回路６０を介して出力される。
　【００４０】
　上記のようにしてビデオ信号が出力回路６０から出力されている間、メモリ５７に蓄えられている音声信号のデジタルデータを、実時間に戻るような速度で読み出してＤ／Ａ変換器６１でアナログ信号に変換し、信号処理回路６２，出力回路６３を介して音声出力して出力する。
　【００４１】
　マイクロコンピュータを内蔵した制御回路３３は、上記のような記録・再生動作に関わる各回路を制御すると共に、操作部３１を介して設定された撮影条件や、撮影枚数などの情報を表示部６４に表示させ、また、操作部３１による設定に基づいてストロボ６５の発光等を制御する。
　【００４２】
　また、上記各回路へは、電源回路６６から電源が供給されるようになっている。
　【００４３】
　次に第６図に示すタイムチャートを参照しつつ、第５図に示した本実施例のスチルビデオカメラの記録動作を説明する。
　【００４４】
　カメラのレリーズボタンの第１ストロークＳ１をＯＮすると電源がＯＮし、フロッピーディスク４５を回転させるために図示しないスピンドルモータがＯＮする。
　【００４５】
　次に被写体の輝度と被写体までの距離とを測定し（ＡＥ・ＡＦ）、フォーカスレンズを動かしてピントを合わせる。
　【００４６】
　レリーズボタンの第２ストロークＳ２のＯＮで、絞りがセットされ、ＣＣＤ３５の電子シャッタが開き被写体を撮影し、ＣＣＤ３５の画素毎に電荷が蓄積される。その後、フロッピーディスク４５の記録基準であるＰＧ信号に同期して記録ゲートがＯＮし、ＣＣＤ３５に蓄積された電荷が読み出されて信号処理を施された後、ＦＭ変調された映像信号がフロッピーディスク４５に記録される。このとき、ＡＶ（音響・映像）セレクタ４３は予め映像側が選択されている。
　【００４７】
　次に、ＡＶセレクタ４３が映像から音声に切り換えられ、フロッピーディスク４５の次のトラックにヘッドが移動する。ここで、マイクロホン４６からの音声信号は、増幅された後ノイズリダクション等の信号処理をされ、Ａ／Ｄ変換されてメモリ５０にストアされる。音声の記録時間は一定時間で、この時間が経過した後、記録したときよりも速い速度でメモリから読み出した音声信号を、Ｄ／Ａ変換してアナログ信号に戻し、このアナログ信号をＦＭ変調したデータがＰＧに同期してフロッピーディスク４５に記録される。そして、記録が終了すると次の撮影に備えて、ヘッドを次のトラックに移動させ、最後にスピンドルモータをＯＦＦしてから電源をＯＦＦしてシーケンスを終了する。
　【００４８】
　次に第７図に示すタイムチャートに従って再生時の動作を説明する。
　【００４９】
　まず、カメラの再生スタートスイッチをＯＮすると（スライドスイッチ２１により再生モードの選択して再生開始を指示すると）、電源がＯＮし、フロッピーディスク４５を回転させるためにスピンドルモータをＯＮする。
　【００５０】
　まず、ＡＶセレクタ４５は予め音声側に選択されていて、フロッピーディスク４５の記録基準であるＰＧ信号に同期して、音声信号がフロッピーディスク４５から読み出され、ＦＭ復調及びＡ／Ｄ変換された後、デジタル信号の形で一時メモリ５７にストアされる。
　【００５１】
　次に、ＡＶセレクタ５４が音声から映像に切り換えられ前記読み出された音声に対応する映像の記録されたトラックにヘッドが移動する。ここで、ＰＧ信号に同期して映像信号が読み出され、ＦＭ復調やエンコード処理を施された後、ＮＴＳＣ方式などのビデオ信号として出力される。
　【００５２】
　このとき同時に、メモリ５７にストアされていた音声信号が記録したときよりも遅い速度でメモリ５７から読み出されてＤ／Ａ変換され、ノイズリダクション処理され、音声信号として出力される。
　【００５３】
　その後、再び再生スタートスイッチがＯＮされれば、次の再生に備えて、ヘッドは次の音声トラックに送られ、同様に映像と音声が同時に再生される。
　【００５４】
　このようにして、スチルビデオカメラ１における映像及び音声の記録・再生機能が実現されるものであり、次に本発明にかかる記録及び該記録に続けての記録内容の再生を所定のトリガ信号に基づいて自動的に行う実施例について述べる。
　【００５５】
　まず、一定時間周期で自動録再させる制御を第８図のタイムチャートを参照しつつ説明する。
　【００５６】
　第８図のタイムチャートは、記録及び該記録内容の再生を、カメラ各回路の制御を行うＣＰＵに備えられた時間間隔トリガ信号出力手段としてのタイマーを用いて一定時間周期で自動的に行わせる場合の動作を示すものである。
　【００５７】
　尚、ここで、回路の構成によっては記録と再生の切り換え時に録再ヘッドに異常電流が流れ、記録された信号にノイズが入ってしまうことがあるので、記録と再生の切り換えは、未記録トラックにヘッドを一旦移動させてから戻して行うようにすることが好ましい。
　【００５８】
　まず、第３図に示すスライドスイッチ２１でＡＵＴＯ　ＲＥＣ＆ＰＬＡＹモードを選択し、ＩＮＴＥＲＶＡＬスイッチ２５を０．５秒以上押していると、第９図に示すように表示窓６ａ分の桁表示が点滅し、自動録再させるインターバル時間のセットを促すので、アップスイッチ（ストロボスイッチ２３）とダウンスイッチ（モードスイッチ２２）を用いてインターバル時間の分の桁をセットする。
　【００５９】
　ここで５分にセットしたいとすると、アップスイッチを５回押して５分の表示を出してからＩＮＴＥＲＶＡＬスイッチ２５をＯＮすると、分の桁が確定されたことが点滅の停止で表示され、次に秒の桁の表示が点滅して秒単位の時間セットを促す（第１０図参照）。秒のセットを同様にして行い希望時間のセットが終了したら、ＩＮＴＥＲＶＡＬスイッチ２５をＯＮさせて、秒の桁についても確定させる（第１１図参照）。
　【００６０】
　第９図〜第１１図に示す例では、インターバル時間が５分３０秒に設定され、５分３０秒毎にタイマー出力が第８図に示すようにパルス波として出力され、このタイマー出力の立ち上がりを所定のトリガ信号として記録（映像及び一定時間の音声の記録）が行われ、記録終了と同時に記録した内容の再生が次にタイマー出力が立ち上がるまで自動的に継続して行われるようになっている。
　【００６１】
　従って、スチルビデオカメラ１にモニタを接続しておけば、一定時間毎にスチルビデオカメラによる記録が自動的に行われ、かつ、記録終了後は直ちに記録内容の映像をモニタ上に自動的に写し出すことができ、然りも、所望の場合には再生映像に付随する音声信号を合わせて再生できる。このため、カメラを操作するものが居なくても記録・再生が一定時間間隔で自動的に行われるから、例えばパーティー会場で、会場内の映像及び音声を一定時間毎に記録して、一定時間毎に最新の記録画像をモニタ上に再生して見せたり、記録された音声を再生して聞かせたりといった使い方ができ、スチルビデオカメラ１を単なる記録手段としてだけでなく、１つのディスプレイ装置として活用できる。
　【００６２】
　次に、音声レベル検出に基づく自動録再制御について、第１２図のタイムチャートを参照しつつ説明する。
　【００６３】
　ここでは、第３図に示す選択手段としてのスライドスイッチ２１でＡＵＴＯ　ＲＥＣ＆ＰＬＡＹのモードが選択されると、マイクロホンの入力レベルが設定レベルを越えたときにかかる検出信号が、ＣＰＣ（第５図における制御回路３３）に送られるようになっており、かかる音声レベルの信号を所定のトリガ信号として自動的な記録動作及びこの記録に続く自動的な再生動作とが行われるようになっている。
　【００６４】
　即ち、音声レベルが設定レベルを越えると、前述のようなタイミングに従って映像と音声とがそれぞれフロッピーディスクに記録され、かかる記録終了に同期して再生モードに自動的に切り換わり、その後再び音声レベルが設定レベルを越えて検出信号が出力されるまでの間、前記記録した映像及び音声の再生が継続して行われる。このようにして、マイクロホンの入力が設定レベルを越えるたびに音声と映像とが記録され、かつ、最新に記録した映像及び音声が自動的に再生されるようになっている。
　【００６５】
　かかるマイクロホンの入力レベルに基づく自動的な記録・再生制御を、第１３図のタイムチャートに従って更に詳細に説明すると、マイクロホンの入力が第１の設定レベルを越えて検出信号が出力されると、フロッピーディスク４５を回転させるための図示しないスピンドルモータをＯＮし、次に被写体の輝度及び被写体までの距離を測定し（ＡＥ／ＡＦ）、図示しないフォーカスレンズを動かしてピント合わせし、必要ならばストロボ６５を充電し、撮影の準備をする。
　【００６６】
　そして、マイクロホン４６の入力が第２の設定レベルを越えたところで、ＣＣＤ３５の電子シャッタを開き撮影を開始する。このように、動作に時間のかかる各種アクチュエータを予め動作させておけば、タイムラグのない撮影が可能となる。
　【００６７】
　尚、マイクロホン４６の入力が第１の設定レベルを越えてから一定時間内に第２の設定レベルを越えなかったときには、スピンドルモータをＯＦＦし、フォーカスレンズを元の位置に戻すようにする。
　【００６８】
　上記のようにしてマイクロホン４６の入力レベルが設定レベルを越える毎に映像と音声とが記録され再生されるようにすれば、例えばパーティ会場で歓声が上がる毎に会場内の映像と音声とを記録し、直ちに再生して見せたり聞かせたりすることができるから、誰もカメラを操作する必要がなく出席者全員がパーティーに参加しつつ、会場風景の記録・再生を行わせることができる。また、一定時間毎に記録されたものが直ちに自動的に再生されるから、記録の重要性よりも、パーティー会場などではアトラクション的なディスプレイとして楽しむこともできる。
　【００６９】
　ここで、マイクロホン４６による入力レベルが設定レベルを越えたことを検出する方法、即ち、音響レベルトリガ信号出力手段について、第１４図に従って説明する。尚、第１４図は、第５図の全体システムブロック図の一部をピックアップして記してあるもので、同一要素には同一符号を付し、その他の構成要素については第５図と同様であるものとし説明を省略する。
　【００７０】
　即ち、マイクロホン４６からの音声信号をアンプ４７で増幅した信号が、コンパレータ８１のマイナス側に入力されるようになっており、前記コンパレータ８１のプラス側には可変抵抗ＲＦにより分圧された基準電圧が入力される。コンパレータ８１出力は制御回路３３に入力されるようになっており、可変抵抗ＲＦの抵抗値によって決定される設定レベルを越える音声信号があると、コンパレータ８１出力が反転することにより、制御回路３３は音声レベルが設定レベルを越えたことを検出できる。
　【００７１】
　しかしながら、上記の方法では、設定レベルが一定になってしまうので、第１３図に示すように複数の設定レベルに基づいて記録・再生動作を行わせる場合には適用できない。そこで、第１５図に示すように、制御回路３３に内蔵されたＤ／Ａ変換器の出力が前記コンパレータ８１のプラス側に入力されるように構成し、初めに第１設定レベル（第１３図参照）に相当する電圧をコンパレータ８１に出力させておき、音声レベルがこの第１設定レベルを越えたことがコンパレータ８１の出力反転により検出されたら、第２の設定レベルに相当する電圧をＤ／Ａ変換器からコンパレータ８１に出力させるようにすれば、複数の設定レベルと実際の音声レベルとを比較させることができる。
　【００７２】
　また、第１６図に示すように、マイクロホン４６を介して入力した音声信号のＡ／Ｄ変換値を制御回路３３に入力させるようにして、ソフトウェア処理によって設定レベルと音声信号のデジタル値とを比較すれば、コンパレータ８１等のハードウェアを用いずに音声レベルの検出が行える。
　【００７３】
　次に、リモコン（遠隔操作）信号によって記録・再生させる動作を、第１７図のタイムチャートを参照しつつ説明する。
　【００７４】
　即ち、第３図に示すスライドスイッチ２１でＡＵＴＯ　ＲＥＣ＆ＰＬＡＹのモードを選択すると、カメラのリモコン受光レンズ１０（第１図及び第２図参照）を介してリモコン光線を受光する受光ユニットであるリモコン受信回路３２に常時給電され、使用者が第２図示の遠隔操作手段としてのリモコンスイッチボックス１４のリモコン送信スイッチ１５を押して赤外発光ＬＥＤ１６から赤外光であるリモコン光信号が前記リモコン受光レンズ１０を介してスチルビデオカメラ１に入力されると、カメラ１はこの所定のトリガ信号としてのリモコン指示に従い、記録（映像及び音声）及びこれに続けて記録内容の再生を行い、次にリモコンスイッチボックス１４が操作されるまで再生を継続する。
　【００７５】
　このようにしてリモコンにより記録及びこの記録に続く自動的な再生が行えれば、例えばパーティー会場などで盛り上がったときに主催者がリモコンを操作して、カメラによる撮影を行わせると共に、撮影記録した内容を直ちにテレビで見たり聞いたりすることができる。
　【００７６】
　尚、リモコンは上記のように赤外光による信号の他、電波を利用したものであっても良い。
　【００７７】
　次に、マイクロホン４６を介して入力される音声レベルに基づく自動録再と、リモコンによる録再とを組み合わせた例を、第１８図のタイムチャートを参照しつつ説明する。
　【００７８】
　第３図に示すスライドスイッチ２１でＡＵＴＯ　ＲＥＣ＆ＰＬＡＹのモードを選択すると、前述のようにして、マイクロホン４６を介して入力される音声レベルが設定レベルを越えたとき（第１８図中のＡ又はＣのとき）に検出信号が出力され、この検出信号をトリガ信号として自動的な映像・音声信号の記録及び該記録内容の再生が行われ、再度音声レベルが設定レベルを越えるまでの間継続して再生が行われる。
　【００７９】
　ところが、第１８図中のＢの場合のように、音声レベルが設定レベルまで達していない場合でも、撮影を行いたい場合がある。このときには、使用者がリモコンを操作して記録・再生を指示すれば、音声レベルが設定に達していないときでも、カメラに記録・再生を行わせることができるように、リモコンの受光ユニットに常時給電されてリモコン操作の待機状態としておく。
　【００８０】
　即ち、音声レベルが設定レベルを越えるか、又は、リモコンで指示されると、録再が行われるようにしてあるもので、音声レベルが設定を越えるたびに自動的に記録と該記録内容の再生とを行わせつつ、リモコン操作によって音声レベルとは無関係に任意のときに録再を行わせることができる。
　【００８１】
　第１９図は、上記実施例に示したスチルビデオカメラ１の実際の使用状態を図示したものであり、三脚９１に支持されたスチルビデオカメラ１は例えばパーティー会場に向けて設置されており、該スチルビデオカメラ１は内蔵の電池によっても動作するが長時間の動作に備えてＡＣアダプタ９２を介して交流電源（家庭電源）で駆動させるようにしてある。このようにして家庭電源でスチルビデオカメラ１を駆動する場合には、電池の消耗を考慮する必要がないから常時ストロボに充電させておくことができる。
　【００８２】
　スチルビデオカメラ１とテレビ９３とは映像用及び音声用の信号ケーブル９３で接続されており、スチルビデオカメラ１で再生された映像及び音声信号が、前記ケーブル９３を介してテレビ９４に入力されて、テレビ９４のＣＲＴ及びスピーカーを介して再生されるようになっている。
　【００８３】
　ここで、例えばパーティーの主催者であるＡが、スチルビデオカメラ１から取り外したリモコンスイッチボックス１４を持っており、必要に応じてこのリモコンスイッチボックス１４を操作したり、直接スチルビデオカメラ１のレリーズボタン５を操作し、パーティー会場の撮影を行うと共に、撮影記録した映像及び音声をテレビに再生させ、また、スチルビデオカメラ１のモード選択によってマイクロホン４６の入力レベルに応じて自動的に録再を行わせることができる。
　【００８４】
　尚、上記実施例では、スチルビデオカメラ１が映像と共に音声も記録できるものについて述べたが、音声の録再機能を備えていないカメラであっても良く、音声の録再機能を備えていないカメラでは、マイクロホンがないので、音声レベルに基づく自動的な録再を行わせることができず、上記の実施例では一定時間毎の録再と、リモコンによる録再とを適用することができる。但し、音声の記録・再生機能を備えてないスチルビデオカメラにおいて、記録・再生を行わせる所定のトリガ信号を出力させるためにのみマイクロホンを設置するようにしても良い。
　【００８５】
　また、本実施例では、記録媒体としてフロッピーディスクを用いてアナログ記録させるようにしたが、半導体メモリにデジタル記録させるようにしても良い。
　【００８６】
　更に、上記実施例では、所定のトリガ信号であると直ちに記録して、記録終了と同時にこの記録内容を再生し、次にトリガ信号があるまで間は再生を継続して行うようにしたが、再生は次にトリガ信号があるまで継続するのではなく、所定時間だけに限って行うようにしても良い。
　【００８７】
　また、通常のレリーズボタン５操作によって記録が行われた場合にも、この記録内容を直ちに自動再生するようなモードを設けるようにしても良く、この場合、所定のトリガ信号はレリーズボタン５の操作信号ということになる。
　【００８８】
　【発明の効果】
　以上説明したように本発明によると、記録・再生機能を有したスチルビデオカメラにおいて、被写体画像の撮影を行い電気画像信号を得る撮像手段と、前記電気画像信号に基づく画像情報を記録する記録手段と、前記記録手段に記録した画像情報に基づく映像を外部モニタに映し出す画像出力手段とを有し、音声レベルが設定レベルを越えた時、及び／又は、リモコンスイッチで遠隔操作された時に出力されるトリガ信号に基づいて、前記撮像手段で電気画像信号を出力し、当該電気画像信号に基づいて画像情報の記録を行い、
該記録終了に続き再生モードに自動的に切り換わり
【図面の簡単な説明】
　第１図及び第２図はそれぞれ本発明にかかるスチルビデオカメラの外観斜視図、第３図は前記第１図及び第２図に示したスチルビデオカメラにおける操作部及び表示部を示す平面図、第４図は同上実施例におけるスチルビデオカメラの基本回路構成を示すブロック図、第５図は第４図示の回路構成をより詳細に示すブロック図、第６図は同上実施例における映像・音声記録制御の特性を示すタイムチャート、第７図は同上実施例における映像・音声再生制御の特性を示すタイムチャート、第８図は一定時間周期毎に記録再生を行わせる実施例の制御特性を示すタイムチャート、第９図〜第１１図はそれぞれ前記第８図示の一定時間周期毎の録再制御における周期時間設定を説明するため表示部状態図、第１２図は第８図示の音声レベル検出に基づく録再をより詳細に説明するためのタイムチャート、第１３図は音声レベルを複数レベルと比較して録再させる際の各部の動作を示すタイムチャート、第１４図〜第１６図はそれぞれ音声レベル検出のためのハードウェア構成の例を示すブロック図、第１７図はリモコン信号に基づいて記録・再生を行わせる制御内容を示すタイムチャート、第１８図は音声レベルに基づく録再制御とリモコン信号に基づく録再制御とを組合わせた場合の制御内容を示すタイムチャート、第１９図は本発明にかかるスチルビデオカメラの使用状態例を示す斜視図である。
　１……スチルビデオカメラ
　２……撮影レンズ
　３……フロッピーディスク
　４……マイクロホン
　５……レリーズボタン
　１０……リモコン受光レンズ
　１４……リモコンスイッチボックス
　２１……スライドスイッチ
　３２……リモコン受信回路
　３３……制御回路
　３５……ＣＣＤ
　４５……フロッピーディスク
　４６……マイクロホン